(57)【要約】【課題】脱着可能な装着物の本体側への装着時には、挿入という１操作で容易に行うことができ、取り外し時には、押し込みと牽引という２操作を、片手で行うことができるようにした脱着装置を提供する。【解決手段】  本体側となる第１部材１０に対し脱着可能な装着物となる第２部材２０を、ボール部材Ｂによりロックするものであり、第１部材１０に対し第２部材２０を押し込むという１操作で第１部材１０に対し第２部材２０をボール部材Ｂによりロックでき、このロック状態にあるボール部材Ｂを、第２部材２０を第１部材１０に押し込む第１操作と、この押し込みを維持しつつ操作軸２５を操作する第２操作により、ロックを解除するようにしたことを特徴とする。【選択図】図１
2010275820.tif 000002
【特許請求の範囲】
【請求項１】
位置固定部に取付けられるハウジングと、当該ハウジング内に設けられた第１部材と、当該第１部材に対し脱着可能とされた被装着物を有する第２部材と、前記第１部材に対し前記第２部材を係止するボール部材と、を有する脱着装置であって、
前記第１部材側に、前記ハウジングに水平位置をとるように取付けられ外方側端部が開放された内部空間を有する軸部材と、当該軸部材の内部空間で軸方向に摺動可能に配置され、常時は前記ボール部材が嵌合される凹部が形成されたスライドプレートと、当該スライドプレートを外方側に向って付勢する第１バネ部材と、を設け、
前記第２部材側に、前記被装着物から突設され、前記軸部材の先端部に軸方向に摺動可能に外嵌されるボス部と、当該ボス部内に軸方向摺動可能に設けられ、一端に外部より操作可能に突出された把持部が形成され、内端側に前記スライドプレートの先端部が当接する当接部が形成された操作軸と、前記第１バネ部材により外方に向って付勢された前記スライドプレートの先端部が前記当接部に弾接するように前記操作軸を内方に向って付勢する第２バネ部材と、を設け
前記ボス部の通孔の縁部と前記スライドプレートの上面で係止している前記ボール部材を、前記第２部材のボス部を前記第１部材側に押し込む第１操作により、一時的に前記係止を解除し、この係止解除状態維持しつつ前記操作軸を移動させる第２操作により、前記第1バネ部材の弾発力により移動する前記スライドプレートの前記凹部内に落下させるロック解除機構を構成したことを特徴とする脱着装置。
【請求項２】
前記ロック解除機構は、前記第２部材のボス部を前記第１部材の軸部材に押し込む１段階操作のみにより、前記凹部に嵌合されている前記ボール部材を前記凹部から前記第２部材に開設された通孔に一部が入り込ませ、前記第１部材と前記第２部材とを相互に係合させるようにしたことを特徴とする請求項１に記載の脱着装置。
【請求項３】
前記被装着物は、扁平で外表面が球面の一部となるように形成したサムターンである請求項１又は２に記載の脱着装置。
【請求項４】
前記被装着物は、フックである請求項１又は２に記載の脱着装置。
【発明の詳細な説明】
【技術分野】
【０００１】
本発明は、サムターンの摘みなどの被装着物を簡単に取り付けることができ、取り外しは多少面倒にした脱着装置に関する。
【背景技術】
【０００２】
例えば、施錠装置には、ドアの室内側にサムターン、室外側にシリンダ錠が設けられ、室内側からはサムターンの操作により、室外側からはシリンダ錠に鍵を差し込むことにより施錠−解錠できるようにしたものがある。
【０００３】
このような施錠装置においては、サムターンの摘みは、容易に把持できるように翼板状に形成されているが、近年、これを利用し、ドアの隙間やサムターン近傍に開けた孔より先端をＬ字状に曲げた針金状のものを挿入し、翼板状の摘みを回し、解錠する、いわゆるサムターン回しと称される不正解錠が行われることがある。
【０００４】
この対策として、サムターン自体をサムターン回しができない形状にする方法があるが、その他、サムターン回しができないようにサムターンに覆いを取付ける方法（特許文献１参照）、サムターンの摘み自体を脱着可能とする方法（特許文献２参照）などもある。
【先行技術文献】
【特許文献】
【０００５】
【特許文献１】特開２００３−５６２１８号公報
【特許文献２】特開２００７−２５５１３５号公報
【発明の概要】
【発明が解決しようとする課題】
【０００６】
特に、サムターンの摘みを脱着可能とする場合は、サムターンの装着は簡単にでき、取り外しは比較的複雑なものであることが好ましい。サムターンの摘みの取り外し操作が簡単にできれば、子供などがサムターンの摘みを外してなくするおそれがあり、これをなくすと、マンション等のように容易に屋内から外に出られない場合には、業者等を呼ばなければならないこともある。一方、摘みの装着が、片手で操作できず、複雑であれば、例えば、一旦サムターンの摘みを外して外出し帰宅したとき、両手に物を持っていると、一旦、物を床に置いた後でなければ、摘みを装着できず、不便である。
【０００７】
本発明は、上記従来技術に伴う課題を解決するためになされたもので、サムターンなどのような脱着可能な被装着物を本体側に装着するときには、挿入という１つの操作で容易に行うことができ、取り外し時には、片手で行う押し込みと牽引という２つの操作で行うようにした脱着装置を提供することを目的とする。
【課題を解決するための手段】
【０００８】
上記目的を達成する本発明は、位置固定部に取付けられるハウジングと、当該ハウジング内に設けられた第１部材と、当該第１部材に対し脱着可能とされた被装着物を有する第２部材と、前記第１部材に対し前記第２部材を係止するボール部材と、を有する脱着装置であり、前記ボール部材が、前記第２部材に開設された通孔に一部が入り込み、前記第１部材のスライドプレートの表面と前記第２部材のボス部の通孔の内方側縁部との間で係止された状態にあるとき、前記ボス部の内方へ押し込む第１操作で前記ボール部材を可動状態とし、この可動状態を維持しつつ、前記第２部材の操作軸を外方に向って移動させる第２操作により、前記スライドプレートが第１バネ部材の弾発力により移動し、前記スライドプレートの凹部に落下させ、ロックを解除するという２段階操作で行いようにしたことを特徴とする。
【発明の効果】
【０００９】
本発明では、第２部材の被装着物を第１部材から取り外すときには、係止状態のボール部材を、第２部材の押し込みと牽引という２つの操作を片手で行うことにより係止を解除できるので、例えば、被装着物をサムターンの摘みとすれば、取り外しが複雑なため、子供などがサムターンの摘みを外すことがなく、一方装着時には操作が容易なため、両手に物を持っていてもサムターンの片手装着が可能となる。
【００１０】
また、被装着物を第１部材に装着するときには、挿入という１つの操作のみでボール部材を係止状態にすることができ、極めて簡単な操作で行うことができる。
【００１１】
前記被装着物を、物を掛けるフックとすれば、フック自体を簡単に設置でき、一旦装着すれば容易に外れない、利便性の高いフックとなる。
【図面の簡単な説明】
【００１２】
【図１】本発明の第１実施形態に係る脱着装置を示す概略断面図である。
【図２】図１の２−２線に沿う拡大断面図である。
【図３】は図１の３−３線に沿う矢視図である。
【図４】（A）は第２部材の装着状態を示す断面図、（Ｂ）は第２部材の装着完了状態を示す断面図である。
【図５】（A）は第２部材の取り外し時の第１操作状態を誇張して示す要部断面図、（Ｂ）は第２部材の取り外し時の第２操作状態を示す断面図である。
【図６】本発明の第２実施形態に係る脱着装置を示す概略断面図である。
【発明を実施するための形態】
【００１３】
以下、本発明の実施形態を、図面を参照しつつ説明する。
【００１４】
＜第１実施形態＞
図１に示すように、本実施形態に係る脱着装置１は、本体側となる第１部材１０と、第１部材１０に対し脱着可能に設けられた被装着物を有する第２部材２０とを有するもので、第１部材１０の先端に開設された通孔１１内に遊嵌されたボール部材Ｂの一部が、第２部材２０側の通孔２１に入り込むことにより、第１部材１０に対する第２部材２０の軸方向移動が規制され、ロックするようになっている。
【００１５】
第１部材１０は、ドアに組み込まれる鍵箱（位置固定部）２にボルト３及びナット４を用いて取付けられるハウジング５内に設けられているが、第１部材１０の外方側の端部は、鍵箱２に設けられたストライカSと機械的に連結されており、この連結は、公知に属するため詳述は避けるが、ドアの内側に設けられた第２部材２０を回動することにより鍵箱２に設けられたストライカSを鍵箱２より出没させ、施錠できるようになっている。また、ドアの外側には、シリンダ錠が設けられ、このシリンダ錠に鍵を差し込むことによりストライカSを鍵箱２より出没させ、施錠できるようにもなっている。
【００１６】
ここにおいて、「内方側」「外方側」とは、ドア（図示の例では鍵箱２）を基準とし、「内方側」とはドアや鍵箱２の内側（図１では鍵箱２の左方側）をいい、「外方側」とはドアや鍵箱２の外側（図１では鍵箱２の右方側）をいうものとする。
【００１７】
さらに第１部材１０と第２部材２０とを詳述する。第１部材１０は、ハウジング５内に水平に取付けられ、内方側端部が開放された内部空間１１を有する軸部材１２と、軸部材１２の内方側端部位に開設された通孔１２ａと、軸部材１２の内部空間１１内で軸方向に摺動可能に配置され、常時はボール部材Ｂが嵌合される凹部１３が形成されたスライドプレート１４と、スライドプレート１４を内方側に向って付勢する第１バネ部材１５と、を有している。なお、軸部材１２は、その外方側端部がハウジング５にEリング１６などにより連結されている。
【００１８】
スライドプレート１４は、図２に示すように、後述のボス部２２及び軸部材１２に形成されたスライド溝１７に両側端の縁部が摺動可能に保持され、上下方向には大きく変位しないように構成されている。スライドプレート１４の略中央には長孔１８が開設され、長孔１８にはスプリングピン１９が挿通され、このスプリングピン１９により第１バネ部材１５の弾発力によるスライドプレート１４の突出を規制している。なお、内部空間１１は、凹部１３を有するスライドプレート１４を内部に円滑に組み込むことができるように断面円形とされている。
【００１９】
第２部材２０は、被装着物である摘み部２１と、摘み部２１の中心に設けられた中空管状をしたボス部２２と、ボス部２２内に設けられかつ端部が摘み部２１を挿通し軸方向摺動可能に設けられた操作軸２５と、操作軸２５を内方側に向って付勢する第２バネ部材２８と、を有している。
【００２０】
摘み部２１は、図３に示すように、扁平な形状をしているが、外表面は、球面の一部となるように形成され、仮に、先端がL字状に曲がった、いわゆるピッキング器具を使用して、サムターン回しが行われても、ピッキング器具の先端が引っ掛からないようにしている。
【００２１】
ボス部２２は、先端が外方側に突出され、内部に軸部材１２の先端部が軸方向に摺動可能に配置された構成となっているが、その外方側端部位にボール部材Ｂが嵌合される通孔２４が開設され、通孔２４の外方側縁部２４aとスライドプレート１４の表面との間でボール部材Ｂをロックするようになっている。
【００２２】
操作軸２５は、摘み部２１より突出された内方側端部に抜け止めとして機能する把持部２６が形成され、外方側端部に円柱状の当接部２７が形成され、第１バネ部材１５により付勢されたスライドプレート１４の先端部が弾接している。
【００２３】
なお、図中、符号「３０」は化粧リング、「３１」化粧キャップ、「３２」は補助化粧リング、「O」はOリングである。
【００２４】
特に、本実施形態では、ロックしている状態のボール部材Ｂを、一時的に可動状態とするロック解除機構Kを有している。このロック解除機構Kは、特別な装置を別途設けたものではなく、上記の構成を利用して形成している。
【００２５】
つまり、ロック解除機構Kは、第１部材１０側に設けられた、ハウジング５に取付けられ外方側端部が開放された内部空間１１を有する軸部材１２と、内部空間１１で軸方向に摺動可能に配置され、常時はボール部材Ｂが嵌合される凹部１３が形成されたスライドプレート１４と、スライドプレート１４を外方側に向って付勢する第１バネ部材１５と、さらに、第２部材２０側に設けられた、軸部材１２の先端部に軸方向に摺動可能に外嵌されるボス部２２と、ボス部内に軸方向摺動可能に設けられ、一端に外部より操作可能に突出された把持部２６が形成され、端部にスライドプレート１４の先端部が当接する当接部２７が形成された操作軸２５と、スライドプレート１４の先端部が当接部２７に弾接するように操作軸２５を外方に向って付勢する第２バネ部材２８と、から構成されている。
【００２６】
そして、第１部材１０のスライドプレート１４の表面と第２部材２０のボス部２２の通孔２４の内方側縁部２４ａとの間で係止されたボール部材Ｂを、ボス部２２の外方側への押し込み操作（第１操作）により、可動状態とし、この可動状態を維持しつつ、第２部材２０の操作軸２５を内方に向って移動させる操作（第２操作）により、スライドプレート１４が第１バネ部材１５の弾発力により移動し、スライドプレート１４の凹部１３に落下させるという２段階操作を経てはじめてロックを解除するようにしている。
【００２７】
次に、本実施形態の作用を説明する。
【００２８】
まず、第２部材２０の摘み部２１を装着する場合について説明する。装着する前の第１部材１０の状態は、図４Ａに示すように、軸部材１２内でスライドプレート１４が第１バネ部材１５により外方に向って付勢され、長孔１８の外方側周面がスプリングピン１９に当接し、スライドプレート１４の凹部１３内にはボール部材Ｂが嵌合されている。
【００２９】
この状態で、第１部材１０の軸部材１２に第２部材２０のボス部２２を外嵌させ、軸方向内方に向って挿入すると、操作軸２５の当接部２７が第１バネ部材１５の弾発力に抗してスライドプレート１４を軸方向内方側に押圧する。
【００３０】
この結果、ボール部材Ｂは、図４Ｂに示すように、スライドプレート１４の凹部１３における斜面部分に押され、凹部１３内から上方に移動し、軸部材１２の通孔１２ａ内に入り、その一部がボス部２２の通孔２４内に突出する。この状態で、第２部材２０の軸方向への押し込みを解除すると、第１バネ部材１５の弾発力が当接部２７、第２バネ部材１８、摘み部２１を介してボス部２２を内方側に付勢することになり、ボール部材Ｂは、通孔２４の口縁部２４ａとスライドプレート１４の表面１４ａとの間でロックされることになり、軸部材１２とボス部２２を連結する。つまり、本実施形態では、第２部材２０を第１部材１０に押し込むという１つの操作のみで装着できることになる。
【００３１】
第２部材２０を取り外す場合について説明する。まず、第２部材２０のボス部２２を、一旦押し込む第１操作（図５Aの白抜き実線矢印）を行う。ここにおいて、第１操作が行われる前のボール部材Ｂは、図５Aに実線で示す状態にあり、第２バネ部材２８が当接部２７を内方側に押圧する反力Ｆ２がボス部２２に作用し、ボス部２２を内方側に付勢し、この力Ｆ２が通孔２４の外方側縁部２４aを介してボール部材Ｂに作用し、外方側縁部２４aとスライドプレート１４の表面１４ａとの間でロックしている状態である。
【００３２】
したがって、第１操作により、第２部材２０のボス部２２を、一旦外方側に押し込む（白抜き実線矢印）と、ボール部材Ｂは、図５Aにおいて破線で示すように、通孔２４の外方側縁部２４aから離れ、ボール部材Ｂに作用していた外方側縁部２４aからの力Ｆ２が解除され、ボール部材Ｂは一時的に可動状態となる。この結果、ボール部材Ｂを介してスライドプレート１４の表面１４ａを押圧している力Ｆ３もなくなるので、スライドプレート１４は第１バネ部材１５の弾発力Ｆ１によって内方側に移動（白抜き破線矢印）可能となる。
【００３３】
次に、第１操作によるボス部２２の押し込み状態を維持しつつ、操作軸２６を内方に向って牽引する第２操作を行う。第１バネ部材１５の弾発力によって内方に移動可能となっているスライドプレート１４は、第２操作により操作軸２６による規制が解かれるので、内方に移動し、図５Ｂに示すように、凹部１３内にボール部材Ｂが入ることになる。
【００３４】
この結果、ボール部材Ｂによるロック状態が解除され、摘み部２１を外部に引き出すと、取り外すことができる。つまり、本実施形態では、第２部材２０のボス部２２を第１部材１０に押し込み、操作軸２６を内方に牽引するという２つの操作で第２部材２０を取り外すことができ、多少操作が面倒になるので、子供のいたずらを防止できる。
＜変形例＞
前記実施形態は、摘み部２１に対し操作軸２６を移動可能に設け、摘み部２１の押し込み、操作軸２５の引き出しという２段階操作を行った後に、摘み部２１の外方側への引っ張りにより摘み部２１を取り外すようにしたものであるが、このような２段階操作を行うことなく、１回の操作のみで摘み部２１を取り外したい場合には、第２部材２０を、被装着物である摘み部２１と、操作軸２５とから構成し、摘み部２１と操作軸２５とをねじなどにより連結したものであってもよい。
【００３５】
このようにすれば、摘み部２１を、摘み部２１の押し込み後に、摘み部２１を外方側に引っ張りのみで摘み部２１を取り外すことができるもの、つまり、比較的簡便なものにすることができる。
＜第２実施形態＞
本実施形態に係る脱着装置１Ａは、フックに用いられたもので、内部にロック解除機構Kを有している。
【００３６】
図６は第２実施形態に係る脱着装置を示す概略断面図である。なお、以下の説明に当り、図上、第１実施形態と共通する部材は、同一符号を使用すると共に、その説明は省略する。
【００３７】
本実施形態は、被装着物を、物を掛けるフック部４０としたものである。第１実施形態と相違する点は、摘み部２１を、物を掛けるフック部４０にしている点と、ハウジング５の取付部分４１を改良した点であり、内部にロック解除機構Kを有する点は共通している。
【００３８】
フック部４０としては、図６に実線で示すように、前記摘み部２１の上半部をＬ字状とし、下半部を削落したものや、あるいは、図６に一点鎖線で示すように、前記摘み部２１の上半部を削落し、下半部をＪ字状としたものなどがあるが、場合によっては、摘み部２１全体がＪ字状としたものであってもよい。
【００３９】
ハウジング５の取付部分４１は、軸部材１２の内方側端部がハウジング５から突出しないようにすると共にハウジング５内でＣリング若しくはＥリングと連結し、壁体４２との連結は、先端が尖ったビス４３を用いて行うようにすることが好ましい。
【００４０】
このように構成すれば、ロック解除機構Kにより第２部材２０であるフック部４０を第１部材１０に装着し易く、取り外しにくいフックとすることができる。
【００４１】
本発明は、上述した実施形態のみに限定されるものではなく、本発明の技術的思想内において当業者により種々変更が可能である。例えば、上述した実施形態は、サムターンとフックについて説明したが、本発明は、これのみに限定されるものではなく、装着し易く、取り外しにくいようなものであれば、種々の装置乃至ものに適用可能である。
【産業上の利用可能性】
【００４２】
本発明は、サムターンの摘みなどの脱着装置に好適に利用できる。
【符号の説明】
【００４３】
１…脱着装置、
２…鍵箱（位置固定部）、
５‥ハウジング、
１０…第１部材、
１１…内部空間、
１２…軸部材、
１２ａ…通孔、
１３…凹部、
１４…スライドプレート、
１５…第１バネ部材、
２０…第２部材、
２１…摘み部（被装着物）、
２２…ボス部、
２４…通孔，
２５…操作軸、
２６…把持部、
２７…当接部、
２８…第２バネ部材、
４０…フック部（被装着物）、
Ｂ…ボール部材、 
Ｋ…ロック解除機構。 
【図１】
2010275820.tif 000003
【図２】
2010275820.tif 000004
【図３】
2010275820.tif 000005
【図４】
2010275820.tif 000006
【図５】
2010275820.tif 000007
【図６】
2010275820.tif 000008